(57)【要約】 【課題】セキュリティを十分に確保可能な画像投影装置、画像投影方法、および、プログラムを提供する。【解決手段】画像投影装置１０は、投影しない第１画像を記憶するメモリと、投影する第２画像を取得する画像取得部１２と、第１画像と第２画像とを比較する画像比較部１４と、画像比較部１４による比較の結果、第２画像のうちの少なくとも一部の領域が第１画像と一致した場合は、第２画像のうち第１画像と一致する領域が投影されないように第２画像を加工して投影用画像を作成する投影用画像作成部１５と、投影用画像作成部１５で作成された投影用画像を投影する投影部１６と、を備える。【選択図】図２
2012159765.tif 000002
【特許請求の範囲】
【請求項１】
第１画像を記憶する記憶部と、
投影する第２画像を取得する画像取得部と、
前記記憶部に記憶された前記第１画像と、前記画像取得部で取得された前記第２画像とを比較する画像比較部と、
前記画像比較部による比較の結果、前記第２画像のうちの少なくとも一部の領域が前記第１画像と一致した場合は、前記第２画像のうち前記第１画像と一致する領域が投影されないように前記第２画像を加工して投影用画像を作成する投影用画像作成部と、
前記投影用画像作成部で作成された前記投影用画像を投影する投影部と、を備える、
ことを特徴とする画像投影装置。
【請求項２】
前記投影用画像作成部は、
前記画像比較部による比較の結果、前記第２画像のうちの少なくとも一部の領域が前記第１画像と一致した場合は、前記第２画像のうち前記第１画像と一致する領域に、前記第１画像とは異なる画像を重ねて、前記投影用画像を作成する、
ことを特徴とする請求項１に記載の画像投影装置。
【請求項３】
前記記憶部は、複数種類の前記第１画像を記憶し、
前記画像比較部は、前記記憶部に記憶された複数種類の前記第１画像のそれぞれと、前記画像取得部で取得した前記第２画像とを比較する、
ことを特徴とする請求項１または請求項２に記載の画像投影装置。
【請求項４】
前記画像比較部は、前記画像取得部が取得する前記第２画像が切り替わるたびに、前記第１画像と前記第２画像とを比較する、
ことを特徴とする請求項１から請求項３のうちの何れか１つに記載の画像投影装置。
【請求項５】
前記画像比較部は、一定の期間が経過するたびに、前記第１画像と前記第２画像とを比較する、
ことを特徴とする請求項１から請求項３のうちのいずれか１つに記載の画像投影装置。
【請求項６】
投影する第２画像を取得する第１ステップと、
記憶部に記憶された第１画像と、前記第１ステップで取得した前記第２画像とを比較する第２ステップと、
前記第２ステップによる比較の結果、前記第２画像のうちの少なくとも一部の領域が前記第１画像と一致した場合は、前記第２画像のうち前記第１画像と一致する領域が投影されないように前記第２画像を加工して投影用画像を作成する第３ステップと、
前記第３ステップで作成された投影用の画像の投影を行う第４ステップと、を備える、
ことを特徴とする画像投影方法。
【請求項７】
請求項６に記載の画像投影方法をコンピュータに実行させるプログラム。
【発明の詳細な説明】
【技術分野】
【０００１】
本発明は、画像投影装置、画像投影方法、および、プログラムに関する。
【背景技術】
【０００２】
従来、ＰＣ（Personal Computer）などの端末装置で表示される画像をプロジェクタに転送して、プロジェクタで投影する技術が知られている。例えば特許文献１には、ＰＣとプロジェクタを用いた投影システムが開示されている。
【０００３】
ここで、プロジェクタでの投影中において、一定期間にわたってＰＣの操作が行われない場合は、スクリーンセーバーが起動するとともにＰＣがロックしてしまう。ＰＣのロックを解除するためには、ユーザーＩＤやパスワード等を入力する必要があるが、ＰＣはプロジェクタと接続されているので、ユーザーＩＤやパスワードの入力画面もプロジェクタで投影されてしまう。これは、セキュリティ確保の観点から好ましくない。
【０００４】
特許文献１には、プロジェクタから、スクリーンセーバーの起動を抑制する制御信号をＰＣへ送信することで、ＰＣのロックを防止する技術が開示されている。
【発明の概要】
【発明が解決しようとする課題】
【０００５】
しかしながら、特許文献１に開示された技術では、スクリーンセーバーの起動によるＰＣのロックを防止することはできるものの、例えばプロジェクタとＰＣを接続した状態で、ＰＣの電源を最初に入れる場合、ＰＣをログオフする場合、および、ＰＣを再起動する場合などにおいては、ユーザーＩＤやパスワードの入力画面がプロジェクタで投影されてしまう。したがって、セキュリティを十分に確保することができないという問題がある。
【０００６】
本発明は、上記に鑑みてなされたものであって、セキュリティを十分に確保可能な画像投影装置、画像投影方法、および、プログラムを提供することを目的とする。
【課題を解決するための手段】
【０００７】
上述した課題を解決し、目的を達成するために、本発明の画像投影装置は、第１画像を記憶する記憶部と、投影する第２画像を取得する画像取得部と、前記記憶部に記憶された前記第１画像と、前記画像取得部で取得された前記第２画像とを比較する画像比較部と、前記画像比較部による比較の結果、前記第２画像のうちの少なくとも一部の領域が前記第１画像と一致した場合は、前記第２画像のうち前記第１画像と一致する領域が投影されないように前記第２画像を加工して投影用画像を作成する投影用画像作成部と、前記投影用画像作成部で作成された前記投影用画像を投影する投影部と、を備えることを特徴とする。
【０００８】
また、本発明の画像投影方法は、投影する第２画像を取得する第１ステップと、記憶部に記憶された第１画像と、前記第１ステップで取得した前記第２画像とを比較する第２ステップと、前記第２ステップによる比較の結果、前記第２画像のうちの少なくとも一部の領域が前記第１画像と一致した場合は、前記第２画像のうち前記第１画像と一致する領域が投影されないように前記第２画像を加工して投影用画像を作成する第３ステップと、前記第３ステップで作成された投影用の画像の投影を行う第４ステップと、を備えることを特徴とする。さらに、本発明のプログラムは、上記画像投影方法をコンピュータに実行させることを特徴とするプログラムである。
【発明の効果】
【０００９】
本発明によれば、投影を行う第２画像のうちの少なくとも一部の領域が第１画像と一致した場合は、第２画像のうち第１画像と一致する領域が投影されないように第２画像が加工された投影用画像が作成されるので、第１画像が投影されることはなく、セキュリティを十分に確保できるという有利な効果を奏する。
【図面の簡単な説明】
【００１０】
【図１】図１は、実施形態に係る画像投影システムの概略構成の一例を示すブロック図である。
【図２】図２は、画像投影装置の機能構成の一例を示すブロック図である。
【図３】図３は、第１画像を登録する処理の手順の一例を示すフローチャートである。
【図４】図４は、投影を行わせない領域の一例を説明するための図である。
【図５】図５は、画像投影システムの一連の処理動作の一例を示すフローチャートである。
【図６】図６は、第１画像を投影させないようにする方式の一例を説明するための図である。
【図７】図７は、画像投影装置のハードウェア構成例を示すブロック図である。
【発明を実施するための形態】
【００１１】
＜実施形態＞
以下、添付図面を参照しながら、本発明に係る画像投影装置、画像投影方法、および、プログラムの一実施形態を詳細に説明する。図１は、本実施形態に係る画像投影システム１００の概略構成の一例を示すブロック図である。図１に示すように、画像投影システム１００は、画像投影装置１０と、端末装置２０と、サーバ装置３０とを備える。
【００１２】
画像投影装置１０は、入力される画像をスクリーン（不図示）などに投影する手段である。画像投影装置１０の一例としては、プロジェクタが挙げられる。図１に示すように、画像投影装置１０は、画像信号伝達ケーブル４０を介して、例えばＰＣなどの端末装置２０と接続可能である。また、画像投影装置１０は、インターネットなどのネットワーク５０を介してサーバ装置３０と接続可能である。サーバ装置３０は、画像や音楽などの各種の電子コンテンツを保持可能な手段である。
【００１３】
図２は、画像投影装置１０の機能構成の一例を示すブロック図である。図２に示すように、画像投影装置１０は、入力受付部１１と、画像取得部１２と、第１画像登録部１３と、画像比較部１４と、投影用画像作成部１５と、投影部１６とを備える。
【００１４】
入力受付部１１は、ユーザーの操作による入力を受け付ける。本実施形態では、ユーザーの各種のボタン（不図示）操作により、セキュリティ機能のオンオフの設定情報、ネットワークの接続先や取得すべきコンテンツを示す情報、出力設定（例えば階調や色味の設定）の内容を示す情報などが画像投影装置１０に入力される。
【００１５】
画像取得部１２は、投影する画像（「第２画像」と呼ぶ）を取得する。図２に示すように、画像取得部１２は、画像送受信部１７と、ネットワーク制御部１８とを含む。
【００１６】
画像送受信部１７は、端末装置２０との間で画像データの送受信を行う。画像送受信部１７は、画像信号伝達ケーブル４０を介して端末装置２０から送信される画像データを受信することもできるし、画像投影装置１０で生成された画像データを、画像信号伝達ケーブル４０を介して端末装置２０へ送信することもできる。
【００１７】
ネットワーク制御部１８は、サーバ装置３０との間のネットワークを介した通信を制御する。ネットワーク制御部１８の制御により、サーバ装置３０に保持された所定の画像データ（コンテンツ画像）を取得することができる。上述の「第２画像」には、画像送受信部１７で受信した画像データ（端末装置２０からの画像データ）、および、ネットワーク制御部１８の制御により取得された画像データ（コンテンツ画像）が含まれる。
【００１８】
第１画像登録部１３は、投影しない画像（「第１画像」と呼ぶ）を、不図示のメモリに登録する。本実施形態では、第１画像が保持されるメモリは画像投影装置１０内に設けられているが、これに限らず、例えば第１画像が保持されるメモリが端末装置２０内に設けられていてもよい。また、メモリに保持（登録）される第１画像の種類および数は任意である。例えば２種類以上の第１画像がメモリに登録されていてもよいし、１種類のみの第１画像がメモリに登録されていてもよい。
【００１９】
画像比較部１４は、画像取得部１２で取得された第２画像と、第１画像登録部１３により不図示のメモリに登録された第１画像とを比較する。本実施形態では、画像比較部１４は、画像取得部１２で取得された第２画像が切り替わるたびに（新たな第２画像を取得するたびに）、第２画像と第１画像との比較を行う。
【００２０】
投影用画像作成部１５は、画像比較部１４による比較の結果、第２画像のうちの少なくとも一部の領域が、第１画像と一致した場合は、第２画像のうち第１画像と一致する領域が投影されないように第２画像を加工して投影用画像を作成する。本実施形態では、第２画像のうち第１画像と一致する領域に、第１画像とは異なる画像を重ね合わせ、入力受付部１１にて受け付けた出力設定に応じて、当該重ね合わせた後の画像の各種パラメータ（階調、色味等）の調節を行って、投影用画像を作成する。
【００２１】
一方、画像比較部１４による比較の結果、第２画像の中には第１画像と一致する領域が存在しない場合は、投影用画像作成部１５は、第２画像の加工を行わずに、入力受付部１１にて受け付けた出力設定に応じて、第２画像の各種パラメータの調節を行って、投影用画像を作成する。投影用画像作成部１５は、以上のようにして作成した投影用画像を投影部１６へ供給する。そして、投影部１６は、投影用画像作成部１５で作成された投影用画像の投影を行う。
【００２２】
なお、本実施形態の画像比較部１４は、入力受付部１１にてセキュリティ機能をオンに設定する入力を受け付けた場合は上述の比較を行う一方、セキュリティ機能をオフに設定する入力を受け付けた場合は上述の比較を行わない。したがって、セキュリティ機能がオフの場合は、投影用画像作成部１５は、第１画像と一致する領域が第２画像の中に存在する場合であっても、第２画像の加工を行わずに投影用画像を作成するという具合である。
【００２３】
図３は、本実施形態に係る画像投影システム１００の使用を開始する前の段階において、第１画像を登録する処理の手順の一例を示すフローチャートである。図３に示すように、まずユーザーは、画像投影装置１０と端末装置２０とを画像信号伝達ケーブル４０で接続する（ステップＳ１）。次に、ユーザーは、画像投影装置１０に設けられたメニューボタン（不図示）を押すことにより、第１画像の登録を行うための設定画面を、端末装置２０の表示画面に表示させる（ステップＳ２）。より具体的には、画像投影装置１０は、ユーザーのメニューボタンの操作に応じて、第１画像の登録を行うための設定画面の画像を生成する。画像送受信部１７は、生成された設定画面の画像を端末装置２０へ送信する。端末装置２０は、画像送受信部１７から受信した設定画面の画像を表示画面に表示する。なお、本実施形態では、端末装置２０の表示画面に設定画面が表示されるが、これに限らず、例えばスクリーン（不図示）に設定画面が投影されてもよい。
【００２４】
次に、端末装置２０は、ユーザーの操作に応じて、投影を行わせない画像を含む画面の画像（「全体画像」）を画像投影装置１０に送信する（ステップＳ３）。例えば図４に示すように、ユーザーＩＤやパスワードの入力欄を示す画像を含むログイン画面の全体の画像を画像投影装置１０に送信するという具合である。ステップＳ３の後、端末装置２０は、ユーザーの操作に応じて、全体画像のうち投影を行わせない領域の指定を受け付け（ステップＳ４）、その受け付けた情報を画像投影装置１０へ送信する。例えば図４に示すように、ログイン画面のうち、ユーザーＩＤやパスワードの入力欄が含まれる領域Ｓが指定されるという具合である。このとき、投影を行わせない領域の位置や大きさを判別するための各頂点の座標データが端末装置２０に入力されて画像投影装置１０に送信される。なお、投影を行わせない領域の範囲は任意に設定可能であり、投影を行わせない領域として、画面全体を指定することもできるし、画面のうちの一部の領域を指定することもできる。
【００２５】
ステップＳ４の後、画像投影装置１０の第１画像登録部１３は、端末装置２０から受信した全体画像のうち、上述のステップＳ４で指定された領域内の画像を、投影しない第１画像として不図示のメモリに登録する（ステップＳ５）。ステップＳ５の後、ユーザーは、未登録の第１画像が存在するか否かを判断し（ステップＳ６）、未登録の第１画像が存在する場合は、再び上述のステップＳ２に戻る。一方、未登録の第１画像が存在しない場合は、一連の処理が終了する。
【００２６】
次に、図５を参照しながら、図３の処理が終了した状態で画像投影システム１００の使用を開始したときの一連の処理動作について説明する。図５は、画像投影システム１００の一連の処理動作の一例を示すフローチャートである。図５に示すように、まずユーザーは、画像投影装置１０に設けられた所定のボタンを操作することで、画像投影装置１０のセキュリティ機能を有効な状態（「オン」）にする（ステップＳ７）。
【００２７】
次に、ユーザーは、画像投影装置１０に設けられたメニューボタン（不図示）を押すことで、投影用画像の各種の設定を行うための設定画面を、端末装置２０の表示画面に表示させる（ステップＳ８）。より具体的には、画像投影装置１０は、ユーザーのメニューボタンの操作に応じて、投影用画像の各種の設定を行うための設定画面の画像を生成する。画像送受信部１７は、生成された設定画面の画像を端末装置２０へ送信する。端末装置２０は、画像送受信部１７から受信した設定画面の画像を表示画面に表示する。ここでは、端末装置２０の表示画面に設定画面が表示されるが、これに限らず、例えばスクリーン（不図示）に設定画面が投影されてもよい。次に、ユーザーは、端末装置２０を操作することで詳細な設定を行う（ステップＳ９）。詳細な設定には、第１画像と第２画像との比較方法の設定や、第１画像を投影させない方法の設定等が含まれる。
【００２８】
ステップＳ９の後、ユーザーは、画像投影装置１０と端末装置２０とを画像信号伝達ケーブル４０で接続する（ステップＳ１０）。ステップＳ１０の後、端末装置２０は、ユーザーの操作に応じて、投影する画像（第２画像）を画像投影装置１０へ送信する（ステップＳ１１）。
【００２９】
ステップＳ１１の後、画像投影装置１０の画像比較部１４は、端末装置２０から受信した第２画像と、不図示のメモリに保持（登録）された第１画像とを比較して（ステップＳ１２）、一致するか否かを判定する（ステップＳ１３）。複数種類の第１画像がメモリに登録されている場合は、画像比較部１４は、メモリに登録された複数種類の第１画像のそれぞれと、第２画像とを比較して、一致するか否かを判定する。
【００３０】
ステップＳ１３の結果、画像比較部１４によって、第２画像のうちの少なくとも一部の領域が第１画像と一致すると判定された場合は、画像投影装置１０の投影用画像作成部１５は、第２画像を加工（合成）して投影用画像を作成する（ステップＳ１４）。より具体的には、投影用画像作成部１４は、第２画像のうち第１画像と一致する領域に、第１画像とは異なる画像を重ねて、投影用画像を作成する。
【００３１】
一例として、図４に示す領域ＳにおけるユーザーＩＤおよびパスワード入力欄の画像が第１画像として不図示のメモリに登録されており、画像投影装置１０は、図４に示す領域ＳにおけるユーザーＩＤおよびパスワード入力欄の画像と同一の画像を含むログイン画面の画像データを、第２画像として端末装置２０から受信した場合を想定する。この場合、図６に示すように、画像投影装置１０は、当該ログイン画面のうち、図４に示す領域Ｓにおける画像と一致する領域Ｓ’に、塗り潰し用の画像を重ねる（合成する）。なお、これは一例であり、第１画像を投影させないようにする方法は任意である。例えば、塗り潰し用の画像の代わりにぼかし用の画像を用いることもできる。ユーザーは、上述のステップＳ９において、様々な方法を選択することができる。
【００３２】
一方、上述のステップＳ１３の結果、画像比較部１４によって、第２画像の中には第１画像と一致する領域が存在しないと判定された場合は、画像投影装置１０の投影用画像作成部１５は、第２画像を加工せずに（合成せずに）投影用画像を作成する（ステップＳ１５）。
【００３３】
続いて、処理はステップＳ１６に移行する。ステップＳ１６では、画像投影装置１０の投影部１６は、ステップＳ１４またはステップＳ１５で作成された投影用画像を投影する。上述のステップＳ１２〜ステップＳ１６の処理が、画像投影装置１０で実行される画像投影処理となる。ステップＳ１６の後、処理はステップＳ１７に移行する。ステップＳ１７では、ユーザーは、全ての第２画像の投影が終了したか否かを判断し、全ての第２画像の投影が終了したと判断した場合は、一連の処理を終了する。一方、未だ投影されていない第２画像があると判断した場合は、上述のステップＳ１１に戻る。
【００３４】
図７は、画像投影装置１０のハードウェア構成例を示す図である。図７に示すように、画像投影装置１０は、第１インタフェース部１０１と、操作入力部１０２と、第２インタフェース部１０３と、画像形成部１０４と、記憶部１０５と、画像投影部１０６と、ＣＰＵ１０７とを備え、それぞれがバスＢで相互に接続されている。
【００３５】
第１インタフェース部１０１は、画像投影装置１０をネットワーク５０に接続するための手段である。操作入力部１０２は、各種の操作信号を画像投影装置１０へ入力する手段であり、操作用ボタンなどで構成される。第２インタフェース部１０３は、画像信号伝達ケーブル４０を画像投影装置１０に接続するための手段である。
【００３６】
画像形成部１０４は、画像形成動作を行う手段であり、投影用画像を形成する。記憶部１０５は、画像投影装置１０で実行される各種のプログラムや各種のデータ（第１画像等）を記憶する手段である。画像投影部１０６は、画像形成部１０４で形成された投影用画像を投影する手段である。ＣＰＵ１０７は、記憶部１０５に記憶された各種のプログラムを実行することにより、画像投影装置１０全体を制御する。
【００３７】
なお、本実施形態に係る画像投影装置１０で実行される制御プログラムは、記憶部１０５の格納用メモリ等に予め組み込まれて提供される。画像投影装置１０で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ Ｖｅｒｓａｔｉｌｅ Ｄｉｓｋ）等のコンピュータで読み取り可能な記憶媒体に記録して提供するように構成してもよい。
【００３８】
さらに、画像投影装置１０で実行される制御プログラムを、インターネット等のネットワークに接続されたコンピュータ上に格納し、ネットワーク経由でダウンロードさせることにより提供するように構成してもよい。また、画像投影装置１０で実行される制御プログラムをインターネット等のネットワーク経由で提供または配布するように構成してもよい。
【００３９】
画像投影装置１０で実行される制御プログラムは、上述した各部（入力受付部１１、画像取得部１２、第１画像登録部１３、画像比較部１４、投影用画像作成部１５、投影部１６）をコンピュータ上で実現させるためのモジュール構成となっている。実際のハードウェアとしてはＣＰＵ１０７が記憶部１０５の格納用メモリから制御プログラムを記憶部１０５の展開用メモリ上に読み出して実行することにより、上記各部がコンピュータ上で実現されるようになっている。
【００４０】
また、本実施形態に係る端末装置２０は、ＣＰＵなどの制御装置と、ＲＯＭ（Read Only Memory）やＲＡＭなどの内部記憶装置と、ＨＤＤ、ＳＳＤ、リムーバブルドライブ装置などの外部記憶装置と、液晶ディスプレイなどの表示装置と、キーボードやマウスなどの入力装置を備えており、通常のコンピュータを利用したハードウェア構成となっている。
【００４１】
＜作用・効果＞
以上に説明したように、本実施形態によれば、投影を行う第２画像のうちの少なくとも一部の領域が、予めメモリに記憶された第１画像と一致した場合は、第２画像のうち第１画像と一致する領域が投影されないように第２画像が加工された投影用画像が作成されるので、如何なる場合であっても、第１画像が投影されることはないという有利な効果を奏する。したがって、本実施形態によれば、従来に比べて、セキュリティを十分に確保できる。
【００４２】
＜変形例＞
以上、本発明に係る実施形態について説明したが、本発明は上述の実施形態に限定されるものではなく、本発明の要旨を逸脱しない範囲内で様々な変形が可能である。例えば上述の実施形態では、画像比較部１４は、画像取得部１２で取得された第２画像が切り替わるたびに、第２画像と第１画像との比較を行っているが、これに限らず、例えば画像比較部１４は、一定の期間が経過するたびに、第２画像と第１画像の比較を行うこともできる。また、上述の比較方法、および、実施形態で説明した比較方法のうちの何れかをユーザーが選択可能な構成とすることもできる。
【００４３】
なお、上述の実施形態では、図３の処理を行うことにより、所定の第１画像がメモリに登録されるが、これに限らず、例えば図３の処理を行わずに、画像投影装置１０の製造時において、所定の第１画像が予めメモリに登録される構成であってもよい。
【符号の説明】
【００４４】
１０  画像投影装置
１１  入力受付部
１２  画像取得部
１３  第１画像登録部
１４  画像比較部
１５  投影用画像作成部
１６  投影部
１７  画像送受信部
１８  ネットワーク制御部
２０  端末装置
３０  サーバ装置
４０  画像信号伝達ケーブル
５０  ネットワーク
１００  画像投影システム
１０１  第１インタフェース部
１０２  操作入力部
１０３  第２インタフェース部
１０４  画像形成部
１０５  記憶部
１０６  画像投影部
【先行技術文献】
【特許文献】
【００４５】
【特許文献１】特開２００８−７７３０１号公報
【図１】
2012159765.tif 000003
【図２】
2012159765.tif 000004
【図３】
2012159765.tif 000005
【図４】
2012159765.tif 000006
【図５】
2012159765.tif 000007
【図６】
2012159765.tif 000008
【図７】
2012159765.tif 000009